(57)【要約】【課題】本発明は、外部機器との接続設定をユーザに分かりやすく提示することができ、ユーザの負担を軽減することができる携帯情報端末を提供する。【解決手段】本携帯情報端末１００は、データやプログラムを記憶する記憶部１０１と、外部の他の機器又はインターネット等に接続するための通信部１０２と、表示部１０３と、操作部１０４と、プロジェクタ等の投影装置に接続するための外部出力端子１０５とを備え、プロジェクタとの接続に必要な設定の手順を表示するためのヘルプ機能が選択された場合、ユーザがすべき設定手順を表示部１０３に表示し、当該手順が正しく進められていないとき又は接続が確定しないときは、接続を正しく行うためのヘルプ画面を表示する。【選択図】　　　図２
2004145644.tif 000002
【特許請求の範囲】
【請求項１】
所定の機能を有する外部機器に所定の設定手順で接続し、当該外部機器にデータを出力することが可能な携帯情報端末において、
前記外部機器に接続する際に、前記所定の設定手順を表示する表示手段を備え、
当該表示手段は、前記所定の設定手順が正しく進められていないときは、前記接続を正しく行うためのヘルプ画面を表示することを特徴とする携帯情報端末。
【発明の詳細な説明】
【０００１】
【発明の属する技術分野】
本発明は、携帯情報端末に関し、特に、プロジェクタ等の投影装置に接続することが可能な携帯情報端末に関する。
【０００２】
【従来の技術】
従来、プロジェクタなどの投影装置を用いたプレゼンテーションでは、当該プレゼンテーションの内容が記憶された記憶媒体を直接投影装置に挿入してプレゼンテーションが行われることもあるが、投影装置にＰＤＡ（Ｐｅｒｓｏｎａｌ　Ｄｉｇｉｔａｌ　Ａｓｓｉｓｔａｎｔ）やノートＰＣ等の携帯情報端末を接続して行われていることが多い。
【０００３】
このように、投影装置に携帯情報端末を接続してプレゼンテーションを行う場合は、例えば、プレゼンテーションの内容が記憶されたノートＰＣとプロジェクタとをケーブルで接続した後にノートＰＣ側で所定の接続設定が必要となる。なお、先行技術が文献公知発明に係るものではないので、先行技術文献情報に関する記載を省略する。
【０００４】
【発明が解決しようとする課題】
しかしながら、上記従来のプレゼンテーションでは、接続設定において押すべきボタンがどれなのか、また、ケーブルをつなぐべき端子がどこについているのかなどユーザにとって分かり難い点が多い。
【０００５】
また、携帯情報端末と投影装置との接続がうまくいかなかった場合には、それぞれの機器の電源を順に落とす等正しい手順を踏まないと設定のやり直しができないことが多く、それぞれの機器間同士の特有のやり取りもあるため、やみくもに一方の機器の電源を落としたり、接続ケーブルを外したりすると予想外の動きとなり、それぞれの機器に支障をきたすことがある。
【０００６】
携帯情報端末と投影装置との接続がうまくいかないと、プレゼンテーションの準備に時間がかかることになり、スマートなプレゼンテーションの印象を損ねてしまうことがある。特に、発表準備が整う前に既に聴衆が居る場合には、発表者は早く始めなくてはという圧迫感を感じてしまうことが多い。
【０００７】
本発明は、外部機器との接続設定をユーザに分かりやすく提示することができ、ユーザの負担を軽減することができる携帯情報端末を提供することを目的とする。
【０００８】
【課題を解決するための手段】
上記目的を達成するために、請求項１記載の携帯情報端末は、所定の機能を有する外部機器に所定の設定手順で接続し、当該外部機器にデータを出力することが可能な携帯情報端末において、前記外部機器に接続する際に、前記所定の設定手順を表示する表示手段を備え、当該表示手段は、前記所定の設定手順が正しく進められていないときは、前記接続を正しく行うためのヘルプ画面を表示することを特徴とする。
【０００９】
【発明の実施の形態】
以下、本発明の実施の形態に係る携帯情報端末を図面を参照して説明する。
【００１０】
（第１の実施の形態）
図１は、本発明の第１の実施の形態に係る携帯情報端末の内部構成を示すブロック図である。
【００１１】
図１において、携帯情報端末１００は、例えば、携帯可能なノート型のパーソナルコンピュータ（以下、「ＰＣ」という。）から成る。携帯情報端末１００は、ＲＡＭ、ＲＯＭ、及びハードディスク装置等から成り、データやプログラムを記憶する記憶部１０１と、外部機器又はインターネットやネットワーク等に接続するための通信部１０２と、データの表示やユーザインターフェース部分を表示するために用いられる表示部１０３と、キーボタンやポインティングデバイスから成る操作部１０４と、プロジェクタ等の投影装置に接続するための外部出力端子１０５と、ＣＰＵ１０６とを備える。
【００１２】
ＣＰＵ１０６は、記憶部１０１より所定のプログラムを読み出して後述する図２〜図３の処理を実行する。外部出力端子１０５は、プロジェクタやＯＨＰ等の投影装置に接続することができる。通信部１０２は、外部機器と有線による通信を行うことができるが、無線による通信をも行うことができる。なお、図示した携帯情報端末１００は、データを記憶することができ、且つ該データを外部出力できる機能があればＰＣに限らず、他の機器であってもよい。
【００１３】
図２は、図１におけるＣＰＵ１０６により実行されるヘルプ画面表示処理を示すフローチャートである。
【００１４】
本実施の形態では、プロジェクタ等の投影装置との接続に必要な設定の手順を表示するデータと、エラー時のヘルプ画面を表示するデータとが予め記憶部１０１に記憶されているものとする。これらのデータは、ユーザにより予め記憶されていてもよいし、通信部１０２を介してインターネット等からダウンロードされるようにしてもよい。
【００１５】
図２において、まず、ステップ２０１では、プロジェクタとの接続に必要な設定の手順を表示するためのヘルプ機能が、操作部１０４を用いてユーザにより選択されると（ステップＳ２０１でＹＥＳ）、ユーザがすべき設定手順を表示部１０３に表示する（ステップ２０３）。ヘルプ機能の選択には、操作部１０４上の所定のキーボタンを押下するか、表示部１０３に表示されたアイコンをポインティングデバイスによりクリックする。設定手順の表示内容は、テキストベースであっても、イラストや実写などの画像であってもよいが、ユーザにとって分かりやすいものであることが好ましい。
【００１６】
次に、ユーザにより接続設定が行われた後、全手順が終了したか否かを判別する（ステップ２０４）。この判別の結果、全手順が終了していないときは（ステップＳ２０４でＮＯ）、ここまでの設定手順が正しく進められているか否かを判別する（ステップ２０５）。この判別の結果、正しく進められているときは（ステップＳ２０５でＹＥＳ）、接続設定のための次の手順表示を行うべくステップＳ２０３へ戻る一方、正しく進められていないときは（ステップＳ２０５でＮＯ）、ヘルプ画面を表示する（ステップ２０７）。ユーザは、表示部１０３に表示されたヘルプ画面を参照した後、接続設定をやり直すことができる。
【００１７】
ステップＳ２０４の判別の結果、全手順が終了したときは（ステップＳ２０４でＹＥＳ）、プロジェクタとの接続が確定したか否かを判別し（ステップ２０６）、接続が確定したときは（ステップＳ２０６でＹＥＳ）、本処理を終了する一方、接続が確定していないときは（ステップＳ２０６でＮＯ）、ステップＳ２０７のヘルプ画面の表示を行う（ステップＳ２０７）。このとき、接続の確定に必要な手順が表示される。
【００１８】
ステップＳ２０１の判別の結果、ヘルプ機能が選択されずにユーザによる接続設定がなされたときは（ステップＳ２０１でＮＯ）、ユーザが誤った手順を踏んだ場合など、ＣＰＵ１０６が判断可能な問題が生じたときにのみヘルプ画面を表示する選択がされたか否かを判別する（ステップ２０２）。この判別の結果、ヘルプ画面を表示する選択がされたときは（ステップＳ２０２でＹＥＳ）、ステップＳ２０６以降の処理を行う一方、ヘルプ画面を表示しない選択がされたときは（ステップＳ２０２でＮＯ）、本処理を終了する。
【００１９】
接続が確定せず、エラーが発生する要因は様々考えられるが、本処理では、当該エラーが想定できる限り、携帯情報端末１００内の記憶装置１０１にエラー回避方法を記憶させておき、ヘルプ画面として表示させるのが好ましい。勿論、想定できないエラーの場合には、初めからやり直すように促すなどの対応が考えられる。また、接続が確定した際には、表示部１０３に接続が確定した旨の表示を行うようにしてもよい。なお、本処理は、プロジェクタとの接続前に実行されても接続中に実行されてもよい。
【００２０】
携帯情報端末やノートＰＣを用いてプレゼンテーションを行う際に必要なプロジェクタなどの投影装置との接続設定方法はそれぞれの端末、投影装置により若干異なっており、分かりにくいためうまくいかないことも多い。そこで、接続設定の際にユーザに設定方法を分かりやすく説明することで、ユーザの負担を軽減することができる。プレゼンテーションデータの入った端末側で現在の状態を把握し、次に踏むべき手順の提示を行い、そのとき、既にスクリーンに端末側のプレゼンテーションデータ出力が始まっている場合でも、設定手順の提示は端末側だけへの表示に留める。
【００２１】
上記第１の実施の形態によれば、プロジェクタとの接続に必要な設定の手順を表示するためのヘルプ機能が選択された場合、ユーザがすべき設定手順を表示部１０３に表示し、当該手順が正しく進められていないとき、又は接続が確定しないときは、接続を正しく行うためのヘルプ画面を表示するので、プレゼンテーションを行う際に必要なプロジェクタとの接続設定をユーザに分かりやすく提示することができ、ユーザの負担を軽減することができる。
【００２２】
（第２の実施の形態）
本第２の実施の形態に係る携帯情報端末は、その基本的構成（図１）が上記第１の実施の形態と同じであり、その説明については省略する。
【００２３】
図３は、本発明の第２の実施の形態に係る携帯情報端末の動作処理を示すフローチャートである。
【００２４】
図３において、まず、ステップ３０１において、プロジェクタとの接続を行うためのアプリケーションをユーザが操作部１０４を用いて起動することにより、接続設定の開始を判別したときは（ステップＳ３０１でＹＥＳ）、リセットボタンを操作部１０４上の適当なキーボタンに割り付ける。適当なキーボタンは、予めユーザにより指定されてもよく、接続設定を行う場合にだけ、何かのボタンがリセットボタンとして作動すればよい。勿論、リセットを行うためだけのボタンを携帯情報端末１００の操作部１０４に用意できれば、ここで割り付けなくともよい。
【００２５】
次に、上記第１の実施の形態における図２の処理において、やり直しが効かない致命的なエラーが生じた場合や操作部１０４に割り当てられたリセットボタンが押された場合などによってリセットが要求されると（ステップ３０２でＹＥＳ）、正しい順序に従ってリセットを行い（ステップ３０４）、本処理を終了する。
【００２６】
ここで、携帯情報端末１００内のＣＰＵ１０６は、図２の処理においてヘルプ画面を表示する際に、リセットの必要があると判断できる場合には自動的にリセットを行うようにしてもよい。また、携帯情報端末１００のリセットと同時に、通信部１０２からプロジェクタに対して状態を初期化してから電源を落とすように指定されたデータを送信し、該プロジェクタを制御してもよい。また、接続がうまくいかなかった場合には、予め定められたリセットボタンを押すだけで、正しくリセットができるようにする。
【００２７】
上記第２の実施の形態によれば、プロジェクタとの接続設定が開始されると、操作部１０４にリセットボタンを割り付けるので、接続がうまくいかなかった場合には、当該リセットボタンを押すだけで正しい順序にしたがってリセットすることができ、機器への損害が生じる可能性を軽減することができる。
【００２８】
なお、本発明は、上記第１〜第２の実施の形態に限定されず、この発明を逸脱しない範囲内において種々の変形、応用が可能である。例えば、上記第１〜第２の実施の形態において、ノートＰＣを携帯情報端末として説明したが、ノートＰＣ以外の携帯情報端末でもよい。
【００２９】
本発明は、上述した実施の形態の機能を実現するソフトウェアのプログラム（図２〜図３のフローチャートに対応するプログラム）を、コンピュータ又はＣＰＵに供給し、そのコンピュータ又はＣＰＵが該供給されたプログラムを読み出して実行することによっても本発明の目的が達成されることは云うまでもない。
【００３０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００３１】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００３２】
更にまた、上述した実施の形態の機能を実現するソフトウェアのプログラムを記憶した記憶媒体をコンピュータに供給し、そのコンピュータ又はＣＰＵが該記憶媒体に格納されたプログラムを読み出して実行することによっても、本発明の目的が達成されることは云うまでもない。
【００３３】
上述した実施の形態では、プログラムは記憶装置１０１に格納されているが、これに限定する必要はなく、プログラムを供給する記憶媒体としては、例えば、ＲＡＭ、ＮＶ−ＲＡＭ、ハードディスク、フレキシブルディスク、光ディスク、光磁気ディスク、ＭＯ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、他のＲＯＭ等の上記プログラムを記憶できるものであればよい。
【００３４】
本発明の実施態様の例を以下に列挙する。
【００３５】
［実施態様１］　所定の機能を有する外部機器に所定の設定手順で接続し、当該外部機器にデータを出力することが可能な携帯情報端末において、前記外部機器に接続する際に、前記所定の設定手順を表示する表示手段を備え、当該表示手段は、前記所定の設定手順が正しく進められていないときは、前記接続を正しく行うためのヘルプ画面を表示することを特徴とする携帯情報端末。
【００３６】
［実施態様２］　前記所定の設定手順を行う設定手段を備え、前記設定手段は、前記外部機器に接続する際に、正しい順序にしたがってリセットを行うリセット入力手段を備えることを特徴とする実施態様１記載の携帯情報端末。
【００３７】
［実施態様３］　前記外部機器と通信を行う通信手段を備え、前記表示手段は、前記外部機器に接続する際に、前記通信手段により送信された所定の情報を当該外部機器に表示させることを特徴とする実施態様１又は２記載の携帯情報端末。
【００３８】
［実施態様４］　前記表示手段は、前記出力されたデータを前記外部装置に表示させることを特徴とする実施態様１乃至３のいずれか１項に記載の携帯情報端末。
【００３９】
［実施態様５］　所定の機能を有する外部機器に所定の設定手順で接続し、当該外部機器にデータを出力することが可能な携帯情報端末の制御方法において、前記外部機器に接続する際に、前記所定の設定手順を表示する表示工程を備え、当該表示工程は、前記所定の設定手順が正しく進められていないときは、前記接続を正しく行うためのヘルプ画面を表示することを特徴とする制御方法。
【００４０】
［実施態様６］　前記所定の設定手順を行う設定工程を備え、前記設定工程は、前記外部機器に接続する際に、正しい順序にしたがってリセットを行うリセット入力工程を備えることを特徴とする実施態様５記載の制御方法。
【００４１】
［実施態様７］　前記外部機器と通信を行う通信工程を備え、前記表示工程は、前記外部機器に接続する際に、前記通信工程にて送信された所定の情報を当該外部機器に表示させることを特徴とする実施態様５又は６記載の制御方法。
【００４２】
［実施態様８］　前記表示工程は、前記出力されたデータを前記外部装置に表示させることを特徴とする実施態様５乃至７のいずれか１項に記載の制御方法。
【００４３】
［実施態様９］　所定の機能を有する外部機器に所定の設定手順で接続し、当該外部機器にデータを出力することが可能な携帯情報端末の制御方法をコンピュータに実行させるためのプログラムにおいて、前記外部機器に接続する際に、前記所定の設定手順を表示する表示ステップを備え、当該表示ステップは、前記所定の設定手順が正しく進められていないときは、前記接続を正しく行うためのヘルプ画面を表示することを特徴とするプログラム。
【００４４】
【発明の効果】
以上詳細に説明したように、本発明によれば、外部機器に接続する際に所定の設定手順を表示し、当該所定の設定手順が正しく進められていないときは、接続を正しく行うためのヘルプ画面を表示するので、外部機器との接続設定をユーザに分かりやすく提示することができ、ユーザの負担を軽減することができる。
【図面の簡単な説明】
【図１】本発明の第１の実施の形態に係る携帯情報端末の内部構成を示すブロック図である。
【図２】図１におけるＣＰＵ１０６により実行されるヘルプ画面表示処理を示すフローチャートである。
【図３】本発明の第２の実施の形態に係る携帯情報端末の動作処理を示すフローチャートである。
【符号の説明】
１００　携帯情報端末
１０１　記憶装置
１０２　通信部
１０３　表示部
１０４　操作部
１０５　外部出力端子
１０６　ＣＰＵ
【図１】
2004145644.tif 000003
【図２】
2004145644.tif 000004
【図３】
2004145644.tif 000005